(57)【要約】【課題】構造が簡単で、好ましくない揺れが発生せず、安定性が高い回転式モップ構造を提供する。【解決手段】回転式モップ構造は、内杆体２と外杆体１とを互いに嵌合させる。外杆体１の中には、押圧部材３１を有する伝動杆３を配置する。伝動杆３には、押圧部材３１と接合可能な駆動ブロック５が外嵌されている。伝動杆３の底端には、駆動ブロック５の移動可能範囲を拘束するストッパ３３が設けられている。内杆体２の中には、ネジスリーブ４が配置されている。ネジスリーブ４は、駆動ブロック５の周囲壁に設けたガイドピン５２を接合する螺旋軌道４２を周囲壁に有し、モップ部が底端に取り付けられている。【選択図】図１
0003159468.tif 000002
【実用新案登録請求の範囲】
【請求項１】
内杆体と外杆体とを互いに嵌合し、
前記外杆体の中には、押圧部材を有する伝動杆を配置し、
前記伝動杆には、前記押圧部材と接合可能な駆動ブロックが外嵌され、
前記伝動杆の底端には、前記駆動ブロックの移動可能範囲を拘束するストッパが設けられ、
前記内杆体の中には、ネジスリーブが配置され、
前記ネジスリーブは、前記駆動ブロックの周囲壁に設けたガイドピンを接合する螺旋軌道を周囲壁に有し、モップ部が底端に取り付けられていることを特徴とする、
回転式モップ構造。
【請求項２】
前記押圧部材及び前記駆動ブロックは、互いに噛み合う一方向ラチェットをそれぞれ有することを特徴とする、請求項１に記載の回転式モップ構造。
【請求項３】
前記ネジスリーブは、互いに対応した少なくとも２つの螺旋軌道を有することを特徴とする、請求項１に記載の回転式モップ構造。
【考案の詳細な説明】
【技術分野】
【０００１】
本考案は、回転式モップ構造に関し、特に、構造が簡単で、好ましくない揺れが発生せず、安定性が高い回転式モップ構造に関する。
【背景技術】
【０００２】
モップは、一般によく利用される清掃用具の一つである。一般に、床を掃除する際は、箒で清掃した後、モップに水分を含ませ、床に付着している埃、屑、油汚れなどを拭き取る。その後、モップをバケツの中にある水に浸して汚物を洗い落としてからモップを搾る動作を、床が清潔になるまで数回繰り返す。
【０００３】
一般に、モップを手で絞るのは、危険な上に衛生的でない。
具体的には、モップを素手で絞った場合、モップに付着しているガラス屑、鉄屑などの鋭利な物体により手を負傷する虞がある上、床の汚物、細菌などがモップを介して手や爪の間に入るため、清掃を行った後に手をきれいに洗わないと病気になるおそれもあった。
【０００４】
そのため、モップの水分を絞る際、ユーザの手が鋭利な物により負傷したり、汚物、細菌などでユーザが病気になる虞のないモップが求められていた。
【考案の概要】
【考案が解決しようとする課題】
【０００５】
本考案の目的は、構造が簡単で、好ましくない揺れが発生せず、安定性が高い回転式モップ構造を提供することにある。
【課題を解決するための手段】
【０００６】
上記課題を解決するために、本考案の第１の形態によれば、内杆体と外杆体とを互いに嵌合し、前記外杆体の中には、押圧部材を有する伝動杆を配置し、前記伝動杆には、前記押圧部材と接合可能な駆動ブロックが外嵌され、前記伝動杆の底端には、前記駆動ブロックの移動可能範囲を拘束するストッパが設けられ、前記内杆体の中には、ネジスリーブが配置され、前記ネジスリーブは、前記駆動ブロックの周囲壁に設けたガイドピンを接合する螺旋軌道を周囲壁に有し、モップ部が底端に取り付けられていることを特徴とする回転式モップ構造が提供される。
【０００７】
また、前記押圧部材及び前記駆動ブロックは、互いに噛み合う一方向ラチェットをそれぞれ有することが好ましい。
【０００８】
また、前記ネジスリーブは、互いに対応した少なくとも２つの螺旋軌道を有することが好ましい。
【考案の効果】
【０００９】
本考案の回転式モップ構造は、構造が簡単で、好ましくない揺れが発生しないため安定性を高めることができる。
【図面の簡単な説明】
【００１０】
【図１】本考案のある一つの実施形態による回転式モップ構造を示す分解斜視図である。
【図２】本考案のある一つの実施形態による回転式モップ構造を示す縦断面図である。
【図３】本考案のある一つの実施形態による回転式モップ構造を示す横断面図である。
【図４】本考案のある一つの実施形態による締結部材を示す部分拡大図である。
【図５】本考案のある一つの実施形態によるモップを示す部分拡大図である。
【図６】本考案のある一つの実施形態による回転式モップ構造を使用するときの状態を示す模式図である。
【図７】本考案のある一つの実施形態による回転式モップ構造を使用するときの状態を示す模式図である。
【図８】本考案のある一つの実施形態による締結部材をロックしたときの状態を示す部分拡大図である。
【図９】本考案のその他の実施形態による回転式モップ構造を示す分解斜視図である。
【考案を実施するための形態】
【００１１】
まず、図１及び図２を参照する。
図１及び図２に示すように、本考案のある一つの実施形態による回転式モップ構造は、外杆体１、内杆体２、伝動杆３、ネジスリーブ４、駆動ブロック５、締結部材６及びモップ部７を含む。
【００１２】
外杆体１は、中空状であり、第１の中空部１１の上端部に取り付ける固定ブロック１２を有する。
【００１３】
内杆体２は、中空状であり、外杆体１の第１の中空部１１に内嵌する。第３の中空部４１の中には、伝動杆３を貫設する第１の貫通孔２２１を中心部に有する栓２２を取り付ける。
【００１４】
伝動杆３は、外杆体１の第１の中空部１１の中に配置されている。伝動杆３は、上端部が外杆体１の固定ブロック１２に固着され、第１の一方向ラチェット３２を底端面に有する設押圧部材３１が設けられている。
【００１５】
ネジスリーブ４は、内杆体２の第２の中空部２１の中に配置され、内側の周囲壁に、少なくとも２つの螺旋軌道４２が設けられている。
【００１６】
図３を参照する。図３に示すように、駆動ブロック５は、伝動杆３を貫設する第２の貫通孔５３を中心部に有し、伝動杆３の押圧部材３１の底端面に設けた第１の一方向ラチェット３２と噛み合わせる第２の一方向ラチェット５１を上端面に有し、周囲壁に突設された少なくとも２つのガイドピン５２を有する。
ガイドピン５２は、ネジスリーブ４の内壁面に形成された２つの螺旋軌道４２に接合され、駆動ブロック５の移動可能範囲を規制するために、伝動杆３の底端にストッパ３３が固着されている。
【００１７】
図４を参照する。図４に示すように、締結部材６は、外杆体１の底縁に設けた外嵌部６１を有する。外嵌部６１の側部には、外杆体１の側部に設けた第１の挿入口１３に対応する位置に、第２の挿入口６１１を有する。
外嵌部６１の第２の挿入口６１１には、押圧レバー６２が枢着されている。第２の挿入口６１１に位置する押圧レバー６２の端部には、押圧レバー６２を閉じたときに、内杆体２の壁面を押圧する押しブロック６２１が設けられている。
【００１８】
図５を参照する。図５に示すように、モップ部７は、ネジスリーブ４の底端に装着した連結部７１と、連結部７１の底側に枢着したプレート体７２と、を含む。プレート体７２の底部には、モップ７３が取り付けられている。
【００１９】
床の清掃に用いたモップ７３が汚れた場合、洗浄してから水切りを行う。図４に示すように、締結部材６の押圧レバー６２を開くと、内杆体２の壁面を押圧している押圧レバー６２の押しブロック６２１が外れ、外杆体１の中にある内杆体２を上下に摺動して位置を固定する。
【００２０】
図２及び図６を参照する。図２及び図６に示すように、ユーザは外杆体１を手で持ち、バケツ８の水切り槽８１の中にモップ７３を入れてから、握持した外杆体１を押下すると、伝動杆３が下方に変位する。その後、伝動杆３の押圧部材３１の底端面に設けられた第１の一方向ラチェット３２と、駆動ブロック５の上端面に設けられた第２の一方向ラチェット５１とが噛み合わされる。
【００２１】
外杆体１により伝動杆３が下方へ変位すると、伝動杆３の押圧部材３１と噛み合わされた駆動ブロック５が下方へ変位する。駆動ブロック５は、ネジスリーブ４の螺旋軌道４２に接合するガイドピン５２を周囲壁に有する。駆動ブロック５は、ガイドピン５２によりネジスリーブ４の螺旋軌道４２に沿って移動し、駆動ブロック５に噛み合わされた押圧部材３１の移動可能範囲が拘束されて回転することができない状態となると、駆動ブロック５に対してネジスリーブ４が回転する。また、ネジスリーブ４に装着されたモップ部７の回転に伴い水切り槽８１が回転すると、回転により生じる遠心力によりモップ７３が吸収した水分を飛散させる。
【００２２】
図７を参照する。図７に示すように、ユーザが外杆体１を引き上げて外杆体１に装着された伝動杆３が上方に変位すると、駆動ブロック５との噛み合わせ状態から押圧部材３１が外れる。伝動杆３が上方に変位すると、伝動杆３の底端にストッパ３３が設けられているため、駆動ブロック５も一緒に引き上げられる。
駆動ブロック５は、押圧部材３１との噛み合せから外れた後、ネジスリーブ４の螺旋軌道４２に沿って回転しながら上方へ変位する。この際、ネジスリーブ４が移動しないように保持されているため、ネジスリーブ４の上端箇所まで、駆動ブロック５がスムーズに変位する。
【００２３】
ユーザが、外杆体１、伝動杆３及び駆動ブロック５を元の位置まで引き上げてから、外杆体１を再び押下すると、伝動杆３の押圧部材３１が駆動ブロック５と再び噛み合って外杆体１及び伝動杆３が下方へ変位し続ける。ネジスリーブ４の螺旋軌道４２に沿って駆動ブロック５が回転すると、ネジスリーブ４の底端に設けたモップ部７が回転され、回転により生じた遠心力によりモップ７３が吸収した水分を飛散させる。
【００２４】
本実施形態の回転式モップ構造は、モップ７３に付着した水分を乾かすために、外杆体１を繰り返して押し下げたり引き上げたりしてネジスリーブ４を回転させる際、揺れが発生することを有効に防いで安定性を高めることができるため、駆動ブロック５のガイドピン５２を、ネジスリーブ４の周囲壁に設けた螺旋軌道４２に当接した状態に保つことができる。
【００２５】
締結部材６の押圧レバー６２を閉じると、押圧レバー６２の端部に設けた押しブロック６２１が内杆体２の壁面に押圧され、内杆体２と外杆体１とを固定することができる（図８に示す）。これにより、ユーザはモップを再び握持して床を拭くことができる。
【００２６】
図９を参照する。図９に示すように、本考案の他の実施形態による回転式モップ構造のネジスリーブ４は、外壁面に突設された螺旋軌道４２を内壁面に有する。
【００２７】
本願の技術分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２８】
１  外杆体
２  内杆体
３  伝動杆
４  ネジスリーブ
５  駆動ブロック
６  締結部材
７  モップ部
８  バケツ
１１  第１の中空部
１２  固定ブロック
１３  第１の挿入口
２１  第２の中空部
２２  栓
３１  押圧部材
３２  第１の一方向ラチェット
３３  ストッパ
４１  第３の中空部
４２  螺旋軌道
５１  第２の一方向ラチェット
５２  ガイドピン
５３  第２の貫通孔
６１  外嵌部
６２  押圧レバー
７１  連結部
７２  プレート体
７３  モップ
８１  水切り槽
２２１  第１の貫通孔
６１１  第２の挿入口
６２１  押しブロック
【図１】
0003159468.tif 000003
【図２】
0003159468.tif 000004
【図３】
0003159468.tif 000005
【図４】
0003159468.tif 000006
【図５】
0003159468.tif 000007
【図６】
0003159468.tif 000008
【図７】
0003159468.tif 000009
【図８】
0003159468.tif 000010
【図９】
0003159468.tif 000011